【手続補正書】
【提出日】平成28年3月30日(2016.3.30)
【手続補正１】
【補正対象書類名】特許請求の範囲
【補正対象項目名】全文
【補正方法】変更
【補正の内容】
【特許請求の範囲】
【請求項１】
権限を有しない者が携帯機器の記憶媒体に記憶された機密データにアクセスできないことを保証するための方法であって、前記機密データは患者データを含み、前記方法が、
前記携帯機器が、その現在位置を判定し、
前記携帯機器が、その現在位置が、分析システムの分析器を囲む、所定のセキュリティー境界内に存在するかどうかを判定し、
前記現在位置がセキュリティー境界の外に存在すると判定された場合、前記携帯機器は自動的に前記機密データを前記記憶媒体から消去する
ことを含む方法。
【請求項２】
前記消去が、１つまたは２つ以上の規則に従って実行され、前記規則の少なくとも１つがユーザに依存する消去ポリシーを含み、前記方法がさらに、
前記携帯機器が前記ユーザの識別子を受け取り、
前記規則を実行し、それにより、前記ユーザ識別子、判定された前記現在位置および前記セキュリティー境界をインプットとして得ることを含み、前記現在位置がセキュリティー境界の外に存在することが判定される場合に、ユーザに特有の消去が実行され、消去される機密データの量および種類が前記ユーザ識別子に依存すること
を特徴とする請求項１記載の方法。
【請求項３】
前記記憶媒体から前記機密データを消去することが、
前記記憶媒体をフォーマットすることにより、または前記機密データを含むパーティションをフォーマットすることにより前記機密データを消去すること、または
前記機密データを変更せずに、前記機密データへのポインターを除去することにより前記機密データを消去すること、または
前記機密データへのポインターを除去し、自動的に生成されたデータパターンで前記機密データを上書きすることにより、前記機密データを消去すること、または
暗号化形式で前記記憶媒体に記憶されている前記機密データを解読するために要求される解読キーを変更または削除すること
を含む請求項１または２記載の方法。
【請求項４】
前記方法が、
分析前、分析もしくは分析後検査装置、または検査室情報システムであるデータソースから、前記携帯機器が前記機密データを要求し、その現在位置が、要求実行時に前記セキュリティー境界内に存在する場合のみ、前記携帯機器が機密データを要求し、
前記携帯機器が、要求された前記機密データを前記データソースから受け取ること
をさらに含む請求項１〜３のいずれか１項に記載の方法。
【請求項５】
前記消去することが、
前記機密データを含むデータセットを評価し、前記データセットの残りを記憶媒体に保持しながら、前記機密データを選択的に消去すること
を含む請求項１〜４のいずれか１項に記載の方法。
【請求項６】
前記消去することが、
前記携帯機器の現在位置がセキュリティー境界内に存在するという、前記携帯機器による以降の判定の際に、消去されたデータ記録を修復することが可能になるように、消去される前記機密データのデータ記録の識別子を前記記憶媒体に記憶すること
を含む請求項１〜５のいずれか１項に記載の方法。
【請求項７】
前記携帯機器はユーザに対し検査装置の操作データを表示し、
前記携帯機器は、表示された前記検査装置の操作データに基づいてユーザインターフェースを介して前記ユーザによって入力された制御インプットデータを受け取り、
前記携帯機器が、その現在位置が前記セキュリティー境界内に存在する場合のみ、入力された前記制御インプットデータに従って制御コマンドを検査装置に送る
請求項１〜６のいずれか１項に記載の方法。
【請求項８】
前記セキュリティー境界内に現在存在している前記携帯機器が、前記携帯機器と前記セキュリティー境界の境界線の間の現在の距離が、距離のしきい値より低いことを自動的に判定し、
前記判定に応じて、前記携帯機器のユーザインターフェースを介してユーザに通知を出力することを含み、前記通知が、ユーザがセキュリティー境界を出ようとしていること、およびこの場合に前記機密データが消去されてしまうことを示すことを特徴とする請求項１〜７のいずれか１項に記載の方法。
【請求項９】
前記携帯機器が、加えて、以下の事象：
前記携帯機器の電源オフの際、
前記携帯機器からのユーザのログオフの際、
前記携帯機器上で実行され、請求項１〜８のいずれか１項に記載の方法を実行するアプリケーションプログラムのシャットダウンの際、
前記アプリケーションプログラムからの前記ユーザのログオフの際、
前記携帯機器と相互作用する前記ユーザによってトリガーされた消去コマンドを受け取る際、
前記携帯機器が、前記セキュリティー境界内に位置するデータ処理システムによって送られた消去コマンドを受け取る際、
のうちの任意の１つに対して前記機密データの消去を実行する請求項１〜８のいずれか１項に記載の方法。
【請求項１０】
前記現在位置の判定、および前記機密データが消去されるか否かの判定が、継続的に繰り返される請求項１〜９のいずれか１項に記載の方法。
【請求項１１】
前記携帯機器の前記現在位置が前記セキュリティー境界内に存在するかどうかの判定が、
前記携帯機器が、前記記憶媒体または前記携帯機器に動作可能に接続された更なる記憶装置に記憶される、前記セキュリティー境界を特定する位置座標を含む地理データにアクセスし、
判定された現在位置の位置座標が前記セキュリティー境界の前記位置座標内に存在するかどうかを判定すること
を含む請求項１〜１０のいずれか１項に記載の方法。
【請求項１２】
前記機密データが消去されるか否かの判定および前記データの消去が、前記携帯機器上で実行される第１のアプリケーションプログラムによって実行され、前記第１のアプリケーションプログラムは、データ処理装置上で実行される第２のアプリケーションプログラムと相互運用可能であり、前記第１および第２のアプリケーションプログラムは相互作用して、前記ユーザが、
前記憶媒体に記憶された前記機密データを分析すること、および／または
前記携帯機器のインターフェースを経由して、前記携帯機器の前記記憶媒体に記憶された前記機密データのそれぞれのデータ記録の編集または削除をし、前記データ記録に対するいかなる変更も、中央記憶媒体に記憶された前記機密データのコピーに自動的に伝達されて同期されること、および／または
前記第１のアプリケーションプログラムのグラフィカルユーザインターフェースを経由して前記ユーザに提供された前記機密データに基づいて、患者サンプルの分析前、分析または分析後の処理を、停止し、開始し、またはリスケジュールするために検査装置を制御すること；および／または
患者サンプルの分析前、分析または分析後の処理を実行する検査装置をモニタリングすること
を可能にする請求項１〜１１のいずれか１項に記載の方法。
【請求項１３】
前記機密データが消去されるか否かの判定、前記データの消去、前記モニタリングおよび／または制御が、前記ユーザ識別子または役割識別子に依存して、かつ、判定された前記現在位置に依存した方法で実行され、前記依存は前記第１のアプリケーションプログラムによって実行された規則によって実現される請求項１２記載の方法。
【請求項１４】
前記携帯機器が所定の前記セキュリティー境界内にある間、前記携帯機器の前記記憶媒体に記憶された機密データは、サーバの更なる記憶媒体と継続的に同期され、それにより、前記携帯機器上で変更された機密データが、前記サーバの更なる前記記憶媒体に記憶可能となり、変更された前記機密データが所定の前記セキュリティー境界の外の権限あるユーザによってアクセスされ得ることを特徴とする請求項１記載の方法。
【請求項１５】
携帯機器のプロセッサによって実行されるときに、請求項１〜１４のいずれか１項に記載の方法を前記プロセッサに実行させる指示を含む、コンピュータによって読み取り可能な記憶媒体。
【請求項１６】
機密データが権限のない者にアクセスできないことを保証する分析システムであって、前記機密データは患者データを含み、前記分析システムは生物学的サンプルを分析するための少なくとも１つの分析器を備え、前記分析システムが、
プロセッサ、
前記機密データを含む記憶媒体、
前記携帯機器の現在位置を判定するように操作可能な位置判定手段、
コンピュータが読み取り可能なアプリケーションプログラムの指示
を有する携帯機器をさらに備え、
前記コンピュータが読み取り可能なアプリケーションプログラムの指示が、前記プロセッサにより実行される際に、
前記現在位置の判定をトリガーすることと、
前記現在位置が少なくとも１つの分析器を囲むセキュリティー境界の外に存在することが判定された場合、前記携帯機器が前記記憶媒体から前記機密データを自動的に消去させることと
を含む方法を、アプリケーションプログラムに実行させることを特徴とする分析システム。
【請求項１７】
サンプル処理システムをさらに備え、前記機密データの少なくとも一部は、少なくとも１つの分析器から集められ、前記サンプル処理システムが、
前記セキュリティー境界内に存在し、集められた前記機密データをネットワークを介して前記携帯機器のアプリケーションプログラムに転送するように操作可能なデータ処理ユニット、および
第１のユーザまたは第２のユーザが、前記セキュリティー境界の位置座標を特定し、および／または、前記消去がどのように行われるかを決定するユーザ特有のおよび／または位置特有の規則を設定することを可能にするコンフィギュレーションユニット
を備える請求項１６に記載の分析システム。